(57)【要約】【課題】回路コストを低減でき且つ設計の柔軟性を増すことのできる、ガンマ補正電圧発生装置を提供する。【解決手段】ディスプレイにおけるガンマ補正電圧発生装置が開示されている。該装置は、集積回路装置とガンマ補正電圧発生回路とを含む。本発明において、ガンマ補正電圧発生回路の一部は集積回路装置の内部に配置されている。集積回路装置の外部に配置されている従来のガンマ補正電圧発生回路と比較して、本発明の装置は使用する電子部品が少なく、そのため回路コストを低減できる。【選択図】図１
2006053561.tif 000002
【特許請求の範囲】
【請求項１】
少なくとも１個の集積回路装置と、
ガンマ補正電圧発生回路とを含み、
前記ガンマ補正電圧発生回路は、前記集積回路装置の内部に配置された第１回路と前記集積回路装置の外部に配置された第２回路とを含み、前記第１回路は、前記第２回路から信号を受け取るための少なくとも１個の入力端子と、ガンマ補正電圧をすべての前記集積回路装置に出力するための少なくとも１個の出力端子とを有している、ガンマ補正電圧発生装置。
【請求項２】
前記集積回路装置の外部に配置されており且つ前記第２回路に接続された電圧源をさらに含み、前記電圧源は前記入力端子を介して前記第１回路に電圧信号を入力し前記出力端子を介してガンマ補正電圧を出力する、請求項１に記載のガンマ補正電圧発生装置。
【請求項３】
前記第１回路は演算増幅器を含み、前記電圧源は前記入力端子を介して電圧信号を前記演算増幅器に入力し且つ前記出力端子を介してガンマ補正電圧を出力する、請求項２に記載のガンマ補正電圧発生装置。
【請求項４】
制御信号を前記第１回路に入力し且つ前記出力端子を介してガンマ補正電圧を出力するための、前記入力端子に接続されたバスをさらに含む、請求項１に記載のガンマ補正電圧発生装置。
【請求項５】
前記第２回路はタイミングコントローラを含む、請求項１に記載のガンマ補正電圧発生装置。
【請求項６】
前記第１回路はデジタル／アナログコンバータを含む、請求項４に記載のガンマ補正電圧発生装置。
【請求項７】
前記第１回路はパルス幅変調回路を含む、請求項４に記載のガンマ補正電圧発生装置。
【請求項８】
前記第１回路はフィルタ回路を含む、請求項４に記載のガンマ補正電圧発生装置。
【請求項９】
前記バスは、クロック信号を入力するためのクロック入力ラインと、データ信号および制御信号を入力するためのデータ入力ラインとを含む、請求項４に記載のガンマ補正電圧発生装置。
【請求項１０】
前記バスは、クロック信号を入力するためのクロック入力ラインと、データ信号を入力するためのデータ入力ラインと、制御信号を入力するための制御信号入力ラインとを含む、請求項４に記載のガンマ補正電圧発生装置。
【請求項１１】
ディスプレイパネルと、
前記ディスプレイパネルを駆動するための複数個の集積回路装置と、
複数個のガンマ補正電圧発生回路とを含み、
前記ガンマ補正電圧発生回路の各々は、対応する前記集積回路装置の内部に配置されたガンマ補正電圧を発生するための第１回路と、対応する前記集積回路装置の外部に配置された第２回路とを含み、前記第１回路の各々は、前記第２回路から信号を受け取るための少なくとも１個の入力端子と、ガンマ補正電圧を出力するための少なくとも１個の出力端子とを有している、ディスプレイ。
【請求項１２】
前記集積回路装置の各々は、他の集積回路装置からガンマ補正電圧を受け取るための複数個の入力端子を有している、請求項１１に記載のディスプレイ。
【発明の詳細な説明】
【技術分野】
【０００１】
本発明は、概してガンマ補正電圧発生装置に関し、さらに詳細にはディスプレイの駆動集積回路装置の内部に配置されたガンマ補正電圧発生装置に関する。
【背景技術】
【０００２】
本発明は、２００４年８月９日出願の台湾特許出願第９３１２３７７５号に基づいており、同出願の主題事項は引用により本出願に組み込まれるものとする。
ディスプレイにおいてモニターグレイ値と信号電圧との間、またはモニターグレイ値とモニター輝度との間には非直線的関係があるため、ディスプレイが上記パラメータ間の直線的関係を獲得して高画質の画像を表示できるように、（ガンマ補正電圧を入力することにより）ガンマパラメータ補正をすべきである。
【０００３】
従来の液晶ディスプレイにおいては、図１に示すようなガンマ補正電圧発生回路がガンマ補正電圧を発生する。駆動集積回路装置（駆動ＩＣ）１０００が正しいガンマ電圧を発生しディスプレイパネルに出力して正しい輝度の画像を表示できるように、ガンマ補正電圧発生回路１０はガンマ補正電圧Ｇ１〜Ｇｎを発生し駆動ＩＣ１０００に出力する。
ガンマ補正電圧発生回路１０は、図２に示したような直列抵抗１００で構成することが可能であり、この直列抵抗１００の一端は参照電圧に接続され、他端は接地されている。ガンマ補正電圧発生回路１０を駆動ＩＣ１０００において直列抵抗２０に接続することにより、ガンマ補正電圧Ｇ１〜Ｇｎが駆動ＩＣ１０００に出力され、正しいガンマ電圧を発生できる。
【０００４】
製造工程において駆動ＩＣ１０００の直列抵抗２０に抵抗偏差が生じるため、この抵抗偏差の発生防止のために、図３に示したように、並列に連結した多数の演算増幅器（オペアンプ）１２０を直列抵抗１００と直列抵抗２０との間に設けねばならない。
しかしながら、直列抵抗１００は、一定の出力電圧を有しており且つ設計における可変性が小さいため、ガンマ補正電圧の異なる要求を満たすことができない。さらに、このタイプのガンマ補正電圧発生回路はダイナミックなガンマ補正電圧の要求に応えられず、またガンマ補正電圧発生装置はすべて駆動ＩＣの外部の回路基板上に配置されるため、回路コストが高くなる。
【０００５】
もう１つの従来のガンマ補正電圧発生方法が、図４に示されている。プログラム可能なデジタル／アナログコンバータ（ＤＡＣ）５０を駆動するためにタイミングコントローラ（ＴＣＯＮ）４０を用いることにより、ガンマ補正電圧Ｇ１〜Ｇｎが発生されて駆動ＩＣ１０００に出力され、正しいガンマ電圧が発生される。しかしながら、ガンマ補正電圧発生装置は依然として駆動ＩＣの外部の回路基板上に配置されており、回路コストが高くなる。
【特許文献１】米国特許第６，８３６，２３２号明細書
【発明の開示】
【発明が解決しようとする課題】
【０００６】
したがって、本発明の目的は、部品が駆動ＩＣの内部に配置されているため回路コストを低減でき且つ設計の柔軟性を増すことのできる、ガンマ補正電圧発生装置を提供することである。
【課題を解決するための手段】
【０００７】
本発明は、集積回路装置とガンマ補正電圧発生回路とを含むガンマ補正電圧発生装置を提供することにより、上記目的を達成する。前記ガンマ補正電圧発生回路は、前記集積回路装置の内部に配置された第１回路と、前記集積回路装置の外部に配置された第２回路とを含む。前記第１回路は、前記第２回路から信号を受け取るための少なくとも１個の入力端子と、ガンマ補正電圧を出力するための少なくとも１個の出力端子とを有する。
【０００８】
本発明のガンマ補正電圧発生装置は、集積回路装置の外部に配置されており且つ第２回路に接続された電圧源をさらに含む。この電圧源は、入力端子を介して第１回路に電圧信号を入力し、出力端子を介してガンマ補正電圧を出力する。
第１回路は演算増幅器を含み、電圧源は入力端子を介して演算増幅器に電圧信号を入力し出力端子を介してガンマ補正電圧を出力する。
【０００９】
ガンマ補正電圧発生装置は、制御信号を第１回路に入力し且つ出力端子を介してガンマ補正電圧を出力するために入力端子に連結されたバスをさらに含む。第１回路はデジタル／アナログコンバータであってもよく、またはパルス幅変調（ＰＷＭ）回路であってもよい。
本発明のガンマ補正電圧発生装置において、前記バスは、クロック信号を入力するためのクロック入力ラインと、データ信号および制御信号を入力するためのデータ入力ラインとを含む。
【００１０】
本発明のガンマ補正電圧発生装置において、前記バスは、クロック信号を入力するためのクロック入力ラインと、データ信号を入力するためのデータ入力ラインと、制御信号を入力するための制御信号入力ラインとを含む。
本発明は、ディスプレイパネルとディスプレイパネルを駆動するための複数の集積回路装置と複数のガンマ補正電圧発生回路とを含むディスプレイを提供することにより、上記目的を達成する。各ガンマ補正電圧発生回路は、対応する集積回路装置の内部に配置されたガンマ補正電圧を発生するための第１回路と、対応する集積回路装置の外部に配置された第２回路とを含む。第１回路の各々は、第２回路から信号を受け取るための少なくとも１個の入力端子と、ガンマ補正電圧を出力するための少なくとも１個の出力端子とを有する。
【００１１】
本発明のディスプレイにおいて、各集積回路装置は、他の集積回路装置からガンマ補正電圧を受け取るための複数の入力端子を有する。
本発明の他の目的、特徴および利点は、下記の非限定的な好ましい実施形態の詳細な説明により明らかになるであろう。下記説明は、添付図面を参照して行われる。
【発明を実施するための最良の形態】
【００１２】
第１実施形態
本発明の第１実施形態を、図５および図６に示す。直列抵抗１００は依然として駆動ＩＣ１０００の外部にあるが、演算増幅器（オペアンプ）２２０はそれぞれ駆動ＩＣ１０００、２０００、３０００、…の内部に配置されている。図６に示すように、ガンマ電源電圧ＧＳ１〜ＧＳｎは、直列抵抗１００を介して演算増幅器２２０に出力され、演算増幅器２２０により発生されたガンマ補正電圧Ｇ１〜Ｇｎは駆動ＩＣ１０００を介して出力されて図７に示す方法により、他の駆動ＩＣ２０００、３０００、…に分配される。たとえば駆動ＩＣ１０００により出力された補正電圧Ｇ１は、他の駆動ＩＣ２０００、３０００、…に分配され、また駆動ＩＣ２０００により出力された補正電圧Ｇ２は、他の駆動ＩＣ１０００、３０００、…に分配され、さらにこれと同様のことが行われる。各駆動ＩＣは他の駆動ＩＣに補正電圧を出力し、他の駆動ＩＣから補正電圧を受け取った各駆動ＩＣは正しいガンマ補正電圧を液晶パネルに出力できる。
第２実施形態
本発明の第２実施形態は、図８および図９に示されている。ガンマ補正電圧を発生するためのＤＡＣ５００が駆動ＩＣ１０００内に配置されており、ＴＣＯＮ４００は、デジタル制御信号Ｃを駆動ＩＣ１０００の外部からバス７００を介してＤＡＣ５００に入力することにより、ガンマ補正電圧を発生させる。ガンマ補正電圧はそれぞれ、図７に示す方法により、他の駆動ＩＣ２０００、３０００、…に平均的に分配される。
第３実施形態
ＤＡＣ５００の使用に加えて、パルス幅変調（ＰＷＭ）回路６００を図１０に示す方法により駆動ＩＣ１０００内に配置することができる。ＴＣＯＮ４００は、駆動ＩＣ１０００の外部からデジタル制御信号ＣをＰＷＭ回路６００に入力し、ＰＷＭ回路６００から出力された信号は、フィルタ回路８００と演算増幅器３２０とにより転送されてガンマ補正電圧Ｇ１になる。ガンマ補正電圧Ｇ１は、さらに、図７に示す方法で他の駆動ＩＣ２０００、３０００、…に分配される。
【００１３】
この実施形態において、データ信号を入力するための信号伝送ラインを介して制御信号を駆動ＩＣに入力するために、上記のバス７００は、シェアデータバスを使用することができる。この構造において、バスは、クロック信号を入力するためのクロック入力ラインと、データ信号および制御信号を同時に入力するためのデータ入力ラインとを含む。
上記のバス７００は、また、制御信号を駆動ＩＣに入力するための独立した制御信号ラインを有することが可能である。この構造において、バスは、クロック信号を入力するためのクロック入力ラインと、データ信号を入力するためのデータ入力ラインと、制御信号Ｃを入力するための制御信号入力ラインとを含む。
発明の達成
本発明において、ガンマ補正電圧発生装置は駆動ＩＣ内部に配置されるため、外部回路に配置される装置の量を減らすことができる。したがって、回路コストを低減することができ、また回路設計における柔軟性を増すこともできる。
【００１４】
上記に本発明を例を用いて好ましい実施形態を通して説明してきたが、本発明はこれらの説明に限定されるものではない。逆に、本発明は種々の変形、類似の構成および手順を含み、したがって添付の特許請求の範囲は、上記変形、類似の構成および手順を包含するように最も広く解釈されるべきである。
【図面の簡単な説明】
【００１５】
【図１】従来のガンマ補正電圧発生回路のブロック図である。
【図２】従来のガンマ補正電圧発生回路を示す。
【図３】他の従来のガンマ補正電圧発生回路を示す。
【図４】他の従来のガンマ補正電圧発生回路のブロック図である。
【図５】本発明の第１実施形態によるガンマ補正電圧発生回路のブロック図である。
【図６】本発明の第１実施形態によるガンマ補正電圧発生回路を示す。
【図７】本発明の好ましい実施形態によるガンマ補正電圧の分配を示す。
【図８】本発明の第２実施形態によるガンマ補正電圧発生回路のブロック図である。
【図９】本発明の第２実施形態によるガンマ補正電圧発生回路を示す。
【図１０】本発明の第２実施形態による他のガンマ補正電圧発生回路を示す。
【図１】
2006053561.tif 000003
【図２】
2006053561.tif 000004
【図３】
2006053561.tif 000005
【図４】
2006053561.tif 000006
【図５】
2006053561.tif 000007
【図６】
2006053561.tif 000008
【図７】
2006053561.tif 000009
【図８】
2006053561.tif 000010
【図９】
2006053561.tif 000011
【図１０】
2006053561.tif 000012
【外国語明細書】
2006053561.tif 000013
2006053561.tif 000014
2006053561.tif 000015
2006053561.tif 000016
2006053561.tif 000017
2006053561.tif 000018
2006053561.tif 000019
2006053561.tif 000020
2006053561.tif 000021
2006053561.tif 000022
2006053561.tif 000023
2006053561.tif 000024
2006053561.tif 000025
【図１】
2006053561.tif 000026
【図２】
2006053561.tif 000027
【図３】
2006053561.tif 000028
【図４】
2006053561.tif 000029
【図５】
2006053561.tif 000030
【図６】
2006053561.tif 000031
【図７】
2006053561.tif 000032
【図８】
2006053561.tif 000033
【図９】
2006053561.tif 000034
【図１０】
2006053561.tif 000035